(57)【要約】【課題】シャッターチャンスを逃すことなく確実に記録することができる撮影装置を提供すること。【解決手段】本発明のある実施の形態において、撮影装置１は、撮像部によって撮像されている被写体像中に含まれる顔を検出し、被写体像中で検出された顔が所定の特徴を有するか否かを判定する。そして、検出された顔が所定の特徴を有すると判定されている間、撮像部によって撮像されている被写体像の連写撮影処理を所定の撮影間隔で連続的に行って複数の連写撮影画像の画像データを生成するとともに、得られた複数の連写撮影画像をもとにスロー対応ライブビュー画像を生成し、撮影間隔よりも長い所定の表示間隔毎に順次ＴＦＴ液晶パネル１４４に表示処理してスロー表示処理を行う。そして、セカンドレリーズ１５２がＯＮされた場合には、表示処理中のスロー対応ライブビュー画像に対応する連写撮影画像の画像データを記録媒体１３６に記録処理する。【選択図】図１
2010226495.tif 000002
【特許請求の範囲】
【請求項１】
被写体像を撮像する撮像部と、
前記撮像部によって撮像されている被写体像中に含まれる顔を検出する顔検出部と、
前記顔検出部による顔検出結果をもとに、前記被写体像中で検出された顔が所定の特徴を有するか否かを判定する特徴判定部と、
前記特徴判定部によって前記検出された顔が所定の特徴を有すると判定されている間、前記撮像部によって撮像されている前記被写体像の撮影処理を所定の撮影間隔で連続的に行って複数の撮影画像の画像データを取得する撮影画像取得部と、
前記複数の撮影画像を前記撮影間隔よりも長い所定の表示間隔毎に順次表示部に表示処理するスローライブビュー表示処理部と、
撮影指示が入力された場合に、前記スローライブビュー表示処理部によって表示処理中の撮影画像の画像データを記録部に記録処理する記録処理部と、
を備えることを特徴とする撮影装置。
【請求項２】
前記特徴判定部は、前記検出された顔の表情を検出する表情検出部を有し、
前記特徴判定部は、前記表情検出部が前記検出された顔の所定の表情を検出した場合に、前記検出された顔が所定の特徴を有すると判定することを特徴とする請求項１に記載の撮影装置。
【請求項３】
前記特徴判定部は、前記検出された顔から瞳の領域を検出する瞳検出部を有し、
前記特徴判定部は、前記瞳検出部が前記検出された顔から瞳を検出した場合に、前記検出された顔が所定の特徴を有すると判定することを特徴とする請求項１に記載の撮影装置。
【請求項４】
前記撮影画像取得部は、撮影準備指示が入力された場合であって、且つ前記特徴判定部によって前記検出された顔が所定の特徴を有すると判定された場合に、前記連続的な撮影処理を行うことを特徴とする請求項１に記載の撮影装置。
【発明の詳細な説明】
【技術分野】
【０００１】
本発明は、被写体像を撮像する撮影装置に関するものである。
【背景技術】
【０００２】
例えばデジタルスチルカメラやデジタルビデオカメラ等の撮影装置では、ユーザがシャッターチャンスを逃さないようにするための機能として、シャッター操作の前後で撮影処理を行って画像データを記録しておくいわゆるプリキャプチャ機能を備えたものが知られている。ユーザは、決定的な瞬間に備えてこのプリキャプチャ機能を使うことで、シャッターチャンスを逃さずに撮影が行える。
【０００３】
ここで、動画の滑らかなスローモーション再生を実現するために、再生フレームレートの整数倍の速度で映像データを撮像するようにしたものが知られている（特許文献１を参照）。
【０００４】
【特許文献１】特開２００４−３１２１９５号公報
【発明の開示】
【発明が解決しようとする課題】
【０００５】
ところで、被写体の動きが速いと、ユーザによるシャッター操作が遅すぎてプリキャプチャ機能によって記録された画像の中にユーザが決定的と感じたときの画像が含まれず、シャッターチャンスを逃してしまう事態が生じる場合があった。また、この問題を解決するための方法として、例えばプリキャプチャ機能による画像の記録枚数を増やすことが考えられるが、ユーザは、撮影の後で記録された画像の中から所望するシーンを映した画像を選択する必要があるため、記録枚数を増やしてしまうと撮影後に画像を閲覧・選択する作業が煩雑化するという問題があった。
【０００６】
本発明は、上記に鑑みてなされたものであって、シャッターチャンスを逃すことなく確実に記録することができる撮影装置を提供することを目的とする。
【課題を解決するための手段】
【０００７】
上述した課題を解決し、目的を達成するため、本発明にかかる撮影装置は、被写体像を撮像する撮像部と、前記撮像部によって撮像されている被写体像中に含まれる顔を検出する顔検出部と、前記顔検出部による顔検出結果をもとに、前記被写体像中で検出された顔が所定の特徴を有するか否かを判定する特徴判定部と、前記特徴判定部によって前記検出された顔が所定の特徴を有すると判定されている間、前記撮像部によって撮像されている前記被写体像の撮影処理を所定の撮影間隔で連続的に行って複数の撮影画像の画像データを取得する撮影画像取得部と、前記複数の撮影画像を前記撮影間隔よりも長い所定の表示間隔毎に順次表示部に表示処理するスローライブビュー表示処理部と、撮影指示が入力された場合に、前記スローライブビュー表示処理部によって表示処理中の撮影画像の画像データを記録部に記録処理する記録処理部と、を備えることを特徴とする。
【０００８】
また、本発明にかかる撮影装置は、上記の発明において、前記特徴判定部は、前記検出された顔の表情を検出する表情検出部を有し、前記特徴判定部は、前記表情検出部が前記検出された顔の所定の表情を検出した場合に、前記検出された顔が所定の特徴を有すると判定することを特徴とする。
【０００９】
また、本発明にかかる撮影装置は、上記の発明において、前記特徴判定部は、前記検出された顔から瞳の領域を検出する瞳検出部を有し、前記特徴判定部は、前記瞳検出部が前記検出された顔から瞳を検出した場合に、前記検出された顔が所定の特徴を有すると判定することを特徴とする。
【００１０】
また、本発明にかかる撮影装置は、上記の発明において、前記撮影画像取得部は、撮影準備指示が入力された場合であって、且つ前記特徴判定部によって前記検出された顔が所定の特徴を有すると判定された場合に、前記連続的な撮影処理を行うことを特徴とする。
【発明の効果】
【００１１】
本発明によれば、被写体像中に含まれる顔を検出するとともに、検出した顔が所定の特徴を有するか否かを判定する。そして、被写体像中の顔が所定の特徴を有する間、撮影処理を所定の撮影間隔で連続的に行って複数の撮影画像の画像データを取得するとともに、取得した複数の撮影画像を撮影間隔よりも長い所定の表示間隔毎に順次表示部に表示処理することができる。これによれば、被写体である人物が所定の特徴を有する顔で映った撮影画像を取得するとともに、この撮影画像を用い、被写体像を実際の被写体の動きよりも遅い速度で画面表示することができる。そして、撮影指示が入力された場合には、表示処理中の撮影画像の画像データを記録部に記録処理することができる。したがって、被写体の動きが速い場合であっても、シャッターチャンスを逃すことなく確実に記録することができるという効果を奏する。
【発明を実施するための最良の形態】
【００１２】
以下、図面を参照し、本発明の好適な実施の形態について詳細に説明する。本実施の形態では、本発明の撮影装置をいわゆるデジタルスチルカメラやデジタルビデオカメラに適用した場合を例に挙げて説明する。なお、この実施の形態によって本発明が限定されるものではない。また、各図面の記載において、同一部分には同一の符号を付して示している。
【００１３】
ここで、本実施の形態で例示する撮影装置は、例えば光学レンズ等からなる撮像光学系が撮像素子の受光面に結像した光学像を電気的な信号に変換して静止画または動画の画像データを生成する撮像部を備える。また、撮影装置は、撮像部が生成した画像データを再生することで被写体の静止画または動画を表示する表示部や、画像信号またはこれを信号処理した画像データ等の各種情報を記録する記録部、外部装置との間で無線または有線によるデータ通信を行う通信部等を備える。
【００１４】
撮影装置の通信部から送信された画像データは、外部装置によって受信される。外部装置としては、例えば、パーソナルコンピュータ（ＰＣ）やＰＤＡ（Personal  Digital  Assistants）等の表示機能を備えた各種情報処理装置、プリンタやデジタル複合機等の印刷機能を備えた画像処理装置、あるいはフラッシュメモリ（登録商標）や外付けハードディスク（ＨＤ）といった各種ストレージ等が挙げられる。
【００１５】
（実施の形態）
図１は、本実施の形態における撮影装置１の概略内部構成例を示すブロック図である。図１に示すように、撮影装置１は、１つ以上のレンズで構成される光学系（以下、この光学系を「レンズ１０１」と呼ぶ。）、撮像素子１０２、アクチュエータ１０３、アクチュエータ駆動回路１０４、撮像回路１０５、フラッシュ１０６、ＥＥＰＲＯＭ（Electrically  Erasable  and  Programmable  Read  Only  Memory）１０７と、手ブレ補正用ジャイロセンサ１０８、２つのＣＰＵ（Central  Processing  Unit）１１０，１２０、Ａ／Ｄ変換回路１３１、ＦＩＦＯメモリ１３２、フレームメモリ（ＳＤＲＡＭ）１３３、記録バッファ１３４、記録媒体インタフェース（Ｉ／Ｆ）１３５、記録媒体１３６、ＴＦＴ液晶駆動回路１４１、ビデオ出力回路１４２、バックライトユニット１４３、ＴＦＴ液晶パネル１４４、キーマトリクス１５０、ＬＣＤ（Liquid  Crystal  Display）表示回路１６１、ＬＣＤパネル１６２、外部有線データインターフェース（Ｉ／Ｆ）１６３、電池１７１、バックアップ電源１７２、電源回路１７３、電池状態検出回路１７４等を備える。この撮影装置１において、レンズ１０１、撮像素子１０２、撮像回路１０５およびＡ／Ｄ変換回路１３１を含む構成が撮像部を実現する。また、ＴＦＴ液晶駆動回路１４１、ビデオ出力回路１４２、バックライトユニット１４３、ＴＦＴ液晶パネル１４４、ＬＣＤ表示回路１６１およびＬＣＤパネル１６２を含む構成が表示部を実現する。また、記録バッファ１３４、記録媒体Ｉ／Ｆ１３５および記録媒体１３６を含む構成が記録部を実現する。
【００１６】
レンズ１０１は、撮像素子１０２の受光面に光学的な被写体像を結像する。撮像素子１０２は、レンズ１０１によって受光面に結像される光学的な被写体像を電気信号に変換する光電変換処理を行うことで、電気的な画像信号を生成する。この撮像素子１０２としては、高速読み出しが可能な固体撮像素子、例えばＣＣＤ（Charge  Coupled  Device）、ＣＭＯＳ（Complementary  Metal  Oxide  Semiconductor）、またはその他の各種撮像素子を用いることができる。
【００１７】
撮像回路１０５は、撮像素子１０２の各素子に蓄積された電荷を画像信号として読み出し、この画像信号に垂直同期信号および水平同期信号等を組み合わせる。このとき例えば、撮影時であれば全画素を読み出す全画素読み出しモードで撮像素子１０２を駆動し、後述する通常ライブビュー表示時であれば間引き読み出しモードで撮像素子１０２を駆動する。なお、読み出し直後の画像信号は、アナログ信号である。撮像回路１０５は、読み出した画像信号に対して各種アナログ信号処理を実行し、処理後の画像信号をＡ／Ｄ変換回路１３１に出力する。Ａ／Ｄ変換回路１３１は、撮像回路１０５から入力されたアナログの画像信号に対してＡ／Ｄ変換処理を実行し、画像データを得る。
【００１８】
以上のようにしてデジタル信号処理された画像データは、ＣＰＵ１２０、フレームメモリ１３３、ＦＩＦＯ（First-In  First-Out）メモリ１３２または記録バッファ１３４に適宜入力される。Ａ／Ｄ変換回路１３１、ＣＰＵ１２０、フレームメモリ１３３、ＦＩＦＯメモリ１３２および記録バッファ１３４は、例えば内部バス１３０を介して相互に接続されている。
【００１９】
フレームメモリ１３３は、Ａ／Ｄ変換回路１３１から出力された画像データ（この画像データに関する各種データ等を含んでもよい。以下、単に「画像データ」と呼ぶ。）や、記録媒体１３６から読み出された画像データを一時的に記録する。このフレームメモリ１３３には、例えばＳＤＲＡＭ（Synchronous  ＤＲＡＭ）等の半導体記録素子等が適用される。
【００２０】
ＣＰＵ（画像処理部）１２０は、主に、画像データや各種データを取り扱う信号処理制御を実行する複数の集積回路により構成される。このＣＰＵ１２０は、Ａ／Ｄ変換回路１３１から入力され、あるいは記録媒体１３６から読み出されてフレームメモリに一時的に記録されている画像データに対して各種画像処理を施す。以下、ＣＰＵ１２０を「画像処理部１２０」とも呼ぶ。
【００２１】
この画像処理部１２０は、画像圧縮伸長部１２１と、記録媒体アクセス処理部１２２と、表示フレームレート変換部１２３と、顔検出部としての画像認識部１２４とを含む。画像圧縮伸長部１２１は、フレームメモリ１３３に記録されている画像データに対して例えばＪＰＥＧ圧縮処理を行い、またはＪＰＥＧ圧縮処理されている画像データの伸長処理を行う。記録媒体アクセス処理部１２２は、記録媒体Ｉ／Ｆ１３５による記録媒体１３６へのアクセスを制御する。表示フレームレート変換部１２３は、撮影モードとして通常の撮影モードが設定されているのか、笑顔を検出する笑顔検出モードや瞳を検出するポートレートモードが設定されているのかに応じて撮影モード時に電子ファインダーとして画面表示する画像の表示フレームレートを変換するための処理を行う。
【００２２】
画像認識部１２４は、公知技術である顔検出処理を行って画像データ中に映る顔を検出し、顔検出結果である画像データの特徴情報として抽出する。顔検出処理は、例えば、パターンマッチングを適用して画像データ中の顔の領域（顔領域）を検出し、この顔領域の検出結果をもとに左右の目や鼻、唇等の各顔パーツを検出するものである。
【００２３】
この画像認識部１２４は、特徴判定部の一例である表情検出部としての笑顔検出部１２５および瞳検出部１２６を含む。笑顔検出部１２５は、画像認識部１２４が行った顔検出結果である特徴情報をもとに公知の手法を用いて画像データ中の顔の表情を判別し、笑顔の顔を検出することによって、顔の表情が笑顔か否かを所定の特徴として判定する。瞳検出部１２６は、画像認識部１２４が行った顔検出結果である特徴情報をもとに公知の手法を用いて画像データ中の顔の瞳を検出することによって、瞳の有無を所定の特徴として検出する。
【００２４】
ＦＩＦＯメモリ１３２は、表示対象とするフレームの画像データをＴＦＴ液晶パネル１４４やＬＣＤパネル１６２、外部画像表示装置２０１等の各種表示装置へと出力する際にこの画像データを一時的にバッファするためのものであり、いわゆるビデオメモリとして機能する。
【００２５】
ＴＦＴ液晶駆動回路１４１は、ＦＩＦＯメモリ１３２から例えば１ライン毎に出力される画像データをもとにＴＦＴ液晶パネル１４４を駆動する。ＴＦＴ液晶パネル１４４は、ＴＦＴ液晶駆動回路１４１によって駆動され、表示対象の画像や各種情報等を表示する。このＴＦＴ液晶パネル１４４には、例えばカラー表示可能なパネルが適用される。また、バックライトユニット１４３は、ＴＦＴ液晶パネル１４４の背面側に設けられ、ＴＦＴ液晶パネル１４４を背面側から照明する。
【００２６】
ビデオ出力回路１４２は、ＦＩＦＯメモリ１３２からの画像データを例えばＮＴＳＣ形式のビデオ信号に変換する。また、ビデオ出力回路１４２は、変換したビデオ信号をビデオ出力端子１４５に接続された例えば外部画像表示装置２０１等の外部装置に出力する。ビデオ出力端子１４５は、ビデオ信号の伝送媒体であるビデオケーブル等の信号線が接続される接続端子である。
【００２７】
記録バッファ１３４は、フレームメモリ１３３に一時的に記録されている画像データを記録媒体１３６に画像データとして記録する際、あるいは記録媒体１３６から画像データを読み出してフレームメモリ１３３に一時的に記録する際等に用いるバッファ（一時記録領域）である。
【００２８】
記録媒体Ｉ／Ｆ１３５は、記録媒体１３６への画像データの記録処理や、記録媒体１３６からの画像データの読み出し処理等を制御するための回路である。
【００２９】
記録媒体１３６は、画像データやその他の各種データを記録するストレージである。この記録媒体１３６には、例えば薄板形状またはカード形状からなるメモリカード等の不揮発性の記録媒体が適用され、撮影装置１に対して着脱自在のものや撮影装置１内部の電気回路に固設されるもの等、適宜採用してよい。
【００３０】
ＣＰＵ１１０は、主（メイン）ＣＰＵとして配設されるものであり、撮影装置１の各部を適宜制御（コントロール）することでシステム全体を制御するシステムコントロール部１１１を含む。このシステムコントロール部１１１は、撮影画像取得部，スローライブビュー表示処理部，記録処理部として撮影装置１を構成する各部に対する指示やデータの転送等を行って撮影装置１の動作を統括的に制御する。
【００３１】
例えば、システムコントロール部１１１は、外部有線データＩ／Ｆ１６３を介してデータの入出力を制御する処理や、主電源である電池１７１の残量をＬＣＤパネル１６２等に表示する処理、アクチュエータ駆動回路１０４に対する動作指示を行ってレンズ１０１を駆動し、ＡＦ動作（焦点調節動作）や変倍動作を制御する処理、撮像部による撮影動作を制御して撮影画像の画像データを生成する処理、撮影の際の各種撮影条件を設定する処理、撮影画像の画像データをこれに付随する撮影日時等の撮影情報と合わせて画像データを含む画像ファイルを生成する処理、図示しない集音装置によって撮影時等に集音された音声信号をもとに音声ファイルを生成する処理、生成した画像ファイルや音声ファイル等の各種データファイルを適切な形態で記録媒体１３６に記録する処理、画像ファイルをもとに画像データや撮影情報をＴＦＴ液晶パネル１４４やＬＣＤパネル１６２、外部画像表示装置２０１に表示する処理、音声ファイルをもとに音声データを図示しないスピーカから音出力する処理等、撮影装置１による各種動作を制御する処理や撮影装置１が備える各種機能を実現するための処理を行う。
【００３２】
また、システムコントロール部１１１は、時計部１１２を含む。時計部１１２は、日付や時刻を計時するためのものである。
【００３３】
アクチュエータ１０３は、レンズ１０１を駆動し、被写体像のオートフォーカス（ＡＦ：自動焦点調節）動作や変倍動作等を行うための駆動源である。アクチュエータ駆動回路１０４は、システムコントロール部１１１の制御のもと、アクチュエータ１０３を駆動する回路である。すなわち、このアクチュエータ１０３およびアクチュエータ駆動回路１０４を含む構成によってレンズ１０１を光軸に沿って移動させることで、ＡＦ動作や変倍動作等が実現される。
【００３４】
ＥＥＰＲＯＭ１０７は、システムコントロール部１１１および画像処理部１２０である各ＣＰＵによって実行される処理プログラム（アプリケーションソフトウエア）や、この処理プログラムの実行中に使用される各種設定データや固有データ等が記録される。このＥＥＰＲＯＭ１０７には、例えば電気的に消去可能な不揮発性メモリである公知のフラッシュロム（Flash  ＲＯＭ）等が適用される。
【００３５】
フラッシュ１０６は、撮影時に被写体を照明する光を放射する光源であり、例えばキセノンランプやＬＥＤ（Light  Emitting  Diode）等で構成される。手ブレ補正用ジャイロセンサ１０８は、撮影装置１に生じているヨー方向およびピッチ方向の角速度を検出する。そして、手ブレ補正用ジャイロセンサ１０８は、検出した角速度をもとに撮影装置１のブレを検出し、検出値をシステムコントロール部１１１に出力する。
【００３６】
キーマトリクス１５０は、例えば通常の撮影モード、または笑顔検出モードやポートレートモードが設定された撮影モード等の各種撮影モードや再生モード等の撮影装置１の動作モードに関する設定操作や撮影条件の設定操作、撮影指示や動作モードの切換指示、電源投入／遮断指示といった撮影装置１に対する各種動作指示等、ユーザによる各種操作を入力するためのものであり、各種機能が割り当てられたボタンスイッチやスライドスイッチ、ダイヤル等の各種操作部材で構成される。
【００３７】
すなわち、例えば、キーマトリクス１５０は、撮影準備指示を入力するためのファーストレリーズ１５１、セカンドレリーズ１５２、ズームボタン１５３およびモード選択ボタン１５４を含む。ファーストレリーズ１５１は、ユーザによるシャッタボタン（不図示）の半押しを検出するスイッチであり、セカンドレリーズ１５２は、このシャッタボタンの全押しを検出するスイッチである。例えばファーストレリーズ１５１によってシャッタボタンの半押しが検出された場合、システムコントロール部１１１の制御のもと、ＡＦ動作が行われる。一方、セカンドレリース１５２によってシャッタボタンの全押しが検出された場合には、システムコントロール部１１１の制御のもと、撮影動作が行われる。ズームボタン１５３は、撮影時に撮影倍率を変更（ズーム操作）するためのものである。なお、このズームボタン１５３は、再生モード時は、再生画像の拡大表示や縮小表示等の表示切換ボタンとして機能する。モード選択ボタン１５４は、通常の撮影モードと、笑顔検出モードやポートレートモードが設定された撮影モードとを切り換えて選択するためのものである。
【００３８】
この他、図示しないが、キーマトリクス１５０は、撮影装置１の電源状態をオン又はオフ状態に切り換える電源ボタンや、メニュー画面を呼び出す等の各種機能が割り当てられた各種操作ボタン、メニュー画面等における選択設定を行う四方向選択キー（十字キー）、これら各種操作部材による操作を確定するためのＯＫボタン等を適宜含む。十字キーは、上下左右の各方向ボタンを有する。
【００３９】
そして、このキーマトリクス１５０は、これら操作部材のそれぞれに連動して所定の指示信号を発生させるスイッチ部材や各スイッチ部材からの指示信号を伝達する電気回路等を含む。ユーザが操作することでキーマトリクス１５０が発生した各種指示信号は、システムコントロール部１１１に出力される。
【００４０】
ＬＣＤ表示回路１６１は、システムコントロール部１１１からの制御に従ってＬＣＤパネル１６２を駆動し、ＬＣＤパネル１６２に各種情報を表示処理する。ＬＣＤパネル１６２は、例えば小型の液晶表示装置（ＬＣＤ）等によって構成される。このＬＣＤパネル１６２には、例えば撮影装置１において設定済みの撮影条件、撮影時のシャッタ速度や絞り値等の露出に関する情報、現在設定されている動作モード情報、記録媒体１３６に記録可能な画像の枚数情報といった撮影装置１における各種設定値や日時情報等を表示する。
【００４１】
外部有線データＩ／Ｆ１６３は、外部装置との間で画像データの伝送（送受信）を行うための接続インタフェースである。この外部有線データＩ／Ｆ１６３には、例えばＵＳＢ（Universal  Serial  Bus）規格やＩＥＥＥ１３９４規格等に準拠したインタフェースが適用される。
【００４２】
電池１７１は、撮影装置１における主（メイン）電源である。この電池１７１には、例えば乾電池等の一次電池や充電可能な蓄電池等の二次電池等が適用される。バックアップ電源１７２は、撮影装置１の内部メモリや内部時計等に対して常に電力を供給するために設けられた副（サブ）電源である。このバックアップ電源１７２からの電力は、例えば撮影装置１における各種設定値や日時情報等を保持し、あるいはＬＣＤパネル１６２等に常時表示するための電力として用いられる。
【００４３】
電源回路１７３は、システムコントロール部１１１の制御のもと、電池１７１またはバックアップ電源１７２からの電力を撮影装置１内部の各電気回路へ適宜供給する。電池状態検出回路１７４は、電池１７１からの電源電圧等から電池１７１の残量等の状態を検出し、この検出結果をシステムコントロール部１１１に出力する。
【００４４】
なお、撮影装置１は、上記した各構成の他、音声等の被写体が発する音を集音するための不図示の集音装置（マイクロフォン）を適宜備える。また、撮影装置１は、外部装置との間で無線による画像ファイル等のデータ信号の送受信を行うための不図示の無線通信装置を適宜備える。この無線通信装置としては、例えば、ワイヤレスＵＳＢ（ＷＵＳＢ）方式や、超広帯域（ＵＷＢ）無線接続方式、ＩｒＤＡ（intrared  Data  Association）方式による光無線接続等の各種通信規格の無線通信装置を適宜採用して用いることができる。
【００４５】
次に、以上のように構成される撮影装置１の撮影モードの１つである笑顔検出モードについて説明する。笑顔検出モードが設定された撮影モードでは、ファーストレリーズ１５１がＯＮされるまでの間は撮像素子１０２に結像されている被写体像をリアルタイムに画面表示する通常ライブビュー表示が行われる。そして、ファーストレリーズ１５１がＯＮされた場合には、ライブビュー画像の顔認識処理が行われるようになっている。この顔認識処理は、ファーストレリーズ１５１がＯＮされたままの間中行われ、ファーストレリーズ１５１がＯＮされている場合であって、この顔認識処理の結果ライブビュー画像中で笑顔の顔が検出された場合に、撮影画像の連写が開始される。この場合には、例えば所定の表示フレームレート（本実施の形態では、通常ライブビュー表示の表示フレームレートとしている３０ｆｐｓ（フレーム／秒））に応じた所定の撮影間隔（実施の形態では１／３０秒毎）で撮影画像（以下、笑顔検出モードで連写される撮影画像を「連写撮影画像」と呼ぶ。）の画像データが生成される。そして、得られた連写撮影画像の画像データからスロー対応ライブビュー画像の画像データが生成され、このスロー対応ライブビュー画像を用いたスローライブビュー表示が行われる。
【００４６】
図２は、笑顔検出モードにおけるスローライブビュー表示を説明する図である。図２では、図２中に向かって左側において、笑顔検出モードが設定された場合であって、ファーストレリーズ１５１がＯＮされている場合に取り込まれたライブビュー画像として、４枚のライブビュー画像Ｉ1，Ｉ3，Ｉ5，Ｉ7をその取り込み順に示している。この各ライブビュー画像Ｉ1，Ｉ3，Ｉ5，Ｉ7には、表情の異なる顔の被写体が映されている。また、図２中に向かって右側において、左側の各ライブビュー画像Ｉ1，Ｉ3，Ｉ5，Ｉ7が取り込まれた場合に生成されるスロー対応ライブビュー画像ＩD1，ＩD3，ＩD5，ＩD7を表示順に示している。
【００４７】
前述のように、撮影モードとして笑顔検出モードが設定されている場合には、ファーストレリーズ１５１がＯＮされている場合に顔認識処理を行い、被写体に含まれる顔の表情を判別するようになっている。そして、ファーストレリーズ１５１がＯＮされたままの場合であって、ライブビュー画像中で笑顔の顔が検出された場合に、連写撮影処理を開始して連写撮影画像を生成するとともに、生成した連写撮影画像をもとに、スロー対応ライブビュー画像を生成していく。
【００４８】
例えば、図２に示すライブビュー画像Ｉ1，Ｉ3，Ｉ7のように、ライブビュー画像Ｉ1，Ｉ3，Ｉ7中に顔が含まれ、且つ笑顔である間は、連写撮影処理が行われて連写撮影画像が生成される。そして、この連写撮影画像をもとに、スロー対応ライブビュー画像ＩD1，ＩD3，ＩD7が生成されるようになっている。一方で、ファーストレリーズ１５１がＯＮされたままの場合であっても、笑顔の顔が検出されない場合には、連写撮影処理を行わない。
【００４９】
そして、この笑顔検出モードが設定されている場合、ファーストレリーズ１５１がＯＮされたままの間は、得られた連写撮影画像から生成したスロー対応ライブビュー画像ＩD1，ＩD3・・・を１／３０秒毎に画面表示していくが、このとき、図２に示すように、各スロー対応ライブビュー画像ＩD1，ＩD3・・・の表示をそれぞれ所定回数（例えば３回）ずつ行う。すなわち、ライブビュー画像Ｉ1が取り込まれ、このライブビュー画像Ｉ1中で笑顔の顔が検出されたことでそのときの連写撮影画像が生成されるとともに、この連写撮影画像からスロー対応ライブビュー画像ＩD1が生成されると、このスロー対応ライブビュー画像ＩD1を１／３０秒毎のタイミングで３回表示する。同様に、ライブビュー画像Ｉ3が取り込まれ、このライブビュー画像Ｉ3中で笑顔の顔が検出されたことでそのときの連写撮影画像が生成されるとともに、この連写撮影画像からスロー対応ライブビュー画像ＩD3が生成されると、このスロー対応ライブビュー画像ＩD3を１／３０秒毎のタイミングで３回表示する。また、続くライブビュー画像Ｉ5中の顔は泣き顔であるため、連写撮影処理が行われずスロー対応ライブビュー画像の表示は行なわれない。その後、ライブビュー画像Ｉ7が取り込まれ、このライブビュー画像Ｉ7中で笑顔の顔が検出されたことでそのときの連写撮影画像が生成されるとともに、この連写撮影画像からスロー対応ライブビュー画像ＩD7が生成されると、このスロー対応ライブビュー画像ＩD7を１／３０秒毎のタイミングで３回表示する。なお、ここでは各スロー対応ライブビュー画像を３回ずつ表示する場合を例示したが、この値は適宜設定することとしてよい。
【００５０】
このように、本実施の形態では、実際の表示フレームレート（３０ｆｐｓ）は変更せずに、０コマ目から順番に各スロー対応ライブビュー画像を３回ずつ表示する処理を行うことで各スロー対応ライブビュー画像の表示間隔を撮影間隔の３倍にし（表示フレームレートを１／３の速度に変換し）、ライブビュー画像のスロー表示（スローライブビュー表示）を実現している。さらにこのとき、ライブビュー画像をもとに被写体の表情を判別し、笑顔の顔が検出されたフレームのみを対象として連写撮影画像の生成およびスローライブビュー表示を行う。そして、セカンドレリーズ１５２がＯＮされた場合には、そのときに画面表示されているスロー対応ライブビュー画像に対応する連写撮影画像を撮影画像として記録媒体１３６に記録する。例えば、図２に示すスロー対応ライブビュー画像ＩD3の表示中にセカンドレリーズ１５２がＯＮされた場合には、スロー対応ライブビュー画像ＩD3の生成に用いた連写撮影画像が記録されるのである。
【００５１】
これによれば、ユーザは、撮影モードとして笑顔検出モードを設定することによって、実際の被写体の動きよりも遅い速度で、且つ笑顔の顔が検出されたフレームのみがスロー表示されるスローライブビュー画像を見ながら撮影を行う（撮影タイミングを指示する）ことができる。ここで、笑顔の顔が検出されたフレームのみを表示するのは、笑顔の顔が映るフレームがユーザにとってシャッターチャンスであると想定できるためである。ただし、笑顔に限らず、別の表情を検出したフレームをスローライブビュー表示するようにしてもよい。この場合には、所望の表情を適宜設定しておけばよい。したがって、被写体の動きが速い場合であっても、シャッターチャンスを逃すことなく確実に記録することができるという効果を奏する。
【００５２】
なお、この笑顔検出モードでは、顔が検出されている限り連写撮影画像から生成したスロー対応ライブビュー画像を１／３０秒毎の表示タイミングで３回ずつ表示していくため、ファーストレリーズ１５１がＯＮされたままの状態が長く続き、笑顔の顔が検出され続けるほど表示画面上に現れる被写体が実際の被写体像とずれていく。そこで、本実施の形態では、ユーザが撮像対象として狙う被写体が変化した場合を想定してスローライブビュー表示をリセットすることでこのズレの解消を図る。例えば本実施の形態では、ズーム操作が入力されたときをユーザが撮像対象として狙う被写体を変えたときとして想定し、生成済みの連写撮影画像およびスロー対応ライブビュー画像を消去してスローライブビュー表示をリセットする。また、ファーストレリーズ１５１がＯＦＦされた場合もユーザが狙う被写体を変えたと想定する。この場合には、生成済みの連写撮影画像およびスロー対応ライブビュー画像を消去した後、再度ファーストレリーズ１５１がＯＮされ、且つライブビュー画像中で笑顔の顔が検出されるまで通常ライブビュー表示に戻る。
【００５３】
次に、撮影装置１の動作について説明する。図３は、撮影装置１の基本動作を示すフローチャートである。撮影装置１では、キーマトリクス１５０を構成する不図示の電源ボタンが操作されて電源投入が指示されると、電源回路１７３による各部への電源供給が開始される。そして、図３に示すように、先ずシステムコントロール部１１１が、内部回路の初期化等を行って撮影装置１の動作環境を設定する（ステップａ１）。その後、撮影モードとなり、例えば１／３０秒毎にステップａ３〜ステップａ１９の処理が繰り返し行われる。
【００５４】
撮影モードでは先ず、システムコントロール部１１１は、撮影モードの設定を判定する。通常の撮影モード等の笑顔検出モード以外の撮影モードが設定されている場合には（ステップａ３：Ｎｏ）、通常のライブビュー画像表示状態となり（通常ライブビュー表示）、ＴＦＴ液晶パネル１４４に対してライブビュー画像の表示が継続的に行なわれる（ステップａ５）。すなわち、システムコントロール部１１１は、撮像素子１０２に結像されている被写体像の画像データを例えば間引き読み出し処理してフレームメモリ１３３に一時的に記録するとともに、ライブビュー画像としてＴＦＴ液晶パネル１４４に表示する一連の処理を１／３０秒毎に繰り返し行う。ここで、ライブビュー画像とは、撮像部からリアルタイムに取り込まれる画像データのことである。ここでの処理によって、被写体像の画像データが所定の表示フレームレート（ここでは３０ｆｐｓ）でリアルタイムに連続表示され、通常ライブビュー表示が実現される。
【００５５】
続いてシステムコントロール部１１１は、撮影処理を行う（ステップａ７）。この撮影処理では、システムコントロール部１１１は、ファーストレリーズ１５１がＯＮされた場合にＡＦ動作を制御する。これによって撮影装置１は、ピント合わせが固定された焦点調節状態（ＡＦロック）となる。そして、システムコントロール部１１１は、セカンドレリーズ１５２がＯＮされた時点で撮像部による撮影動作を制御し、露出を制御して画像データの全画素読み出し処理を行う。これにより、セカンドレリーズ１５２がＯＮされたタイミングの撮影範囲の画像データが撮影画像の画像データとして生成され、フレームメモリ１３３に一時的に記録される。この画像データは、画像処理部１２０によって必要な画像処理が施された後、記録媒体１３６に記録される。
【００５６】
一方、笑顔検出モードが設定されている場合には（ステップａ３：Ｙｅｓ）、スローライブビュー対応モード処理に移る（ステップａ９）。
【００５７】
また、撮影モード中にキーマトリクス１５０によって撮影モードの設定操作が入力された場合には（ステップａ１１：Ｙｅｓ）、システムコントロール部１１１がモード設定変更処理を行い、撮影モードの設定を変更する（ステップａ１３）。例えば、システムコントロール部１１１は、メニュー画面をＴＦＴ液晶パネル１４４やＬＣＤパネル１６２に表示処理して動作モードの設定メニューや撮影条件の設定メニュー等の各種メニュー項目を提示する。そして、キーマトリクス１５０に対する操作入力に従い、選択されたメニュー項目に応じた処理を行って動作モードの設定や撮影条件の設定・変更等を行う。通常の撮影モード、あるいは笑顔検出モードやポートレートモード等の撮影モードの設定は、ここで行われる。
【００５８】
また、キーマトリクス１５０によって動作モードの切換指示が入力され、再生モードが設定されると（ステップａ１５：Ｙｅｓ）、再生処理に移り、例えば、キーマトリクス１５０に対する操作入力に従って再生対象の撮影画像を決定し、その画像データを記録媒体１３６から読み出してＴＦＴ液晶パネル１４４や外部画像表示装置２０１に表示（再生）する処理を行う（ステップａ１７）。
【００５９】
そして、ステップａ１９では、電源遮断指示を監視し、電源ボタンが操作されて電源遮断（パワーＯＦＦ）が指示された場合には（ステップａ１９：Ｙｅｓ）、基本動作を終える。この場合には電源回路１７３による各部の電源供給が停止され、撮影装置１はパワーＯＦＦ状態へと遷移する。パワーＯＦＦされなければ（ステップａ１９：Ｎｏ）、ステップａ３に戻る。
【００６０】
次に、図３のステップａ９のスローライブビュー対応モード処理について説明する。図４は、スローライブビュー対応モード処理の詳細な処理手順を示すフローチャートである。本実施の形態のスローライブビュー対応モード処理では、図４に示すように、先ずシステムコントロール部１１１が、ファーストレリーズ１５１のＯＮ操作を判定する。ＯＮされなければ（ステップｂ１：Ｎｏ）、図３のステップａ５と同様の要領で、撮像素子１０２に結像されている被写体像をリアルタイムに画面表示する通常ライブビュー表示を行う（ステップｂ３）。その後、図３のステップａ９にリターンし、ステップａ１１に移行する。
【００６１】
一方、ファーストレリーズ１５１がＯＮされた場合には（ステップｂ１：Ｙｅｓ）、ＯＮされたままの間は、１／３０秒毎にステップｂ５〜ステップｂ４１の処理が繰り返し行われる。
【００６２】
すなわち先ず、システムコントロール部１１１は、初期化処理を行う（ステップｂ５）。本実施の形態では、システムコントロール部１１１が、撮連写撮影画像のコマ番号を示すカウンタ値ｎ、スロー対応ライブビュー画像のコマ番号を示すカウンタ値ｘおよび表示中のスロー対応ライブビュー画像のコマ番号を得るためのカウンタ値ｔをそれぞれ初期値“０”に初期化する。このとき、システムコントロール部１１１は、ＡＦ動作の制御を行い、撮影装置１はＡＦロックの状態となる。
【００６３】
続いて、ライブビュー画像を取り込んで顔認識処理を行う（ステップｂ７）。例えば先ず、システムコントロール部１１１が、撮像素子１０２に結像されている被写体像を間引き読み出し処理する。そして、ここでの処理の結果フレームメモリ１３３に一時的に記録されたライブビュー画像について画像認識部１２４が顔認識処理を行う。すなわち画像認識部１２４は、取り込んだライブビュー画像の画像データについて顔検出処理を行う。そして、笑顔検出部１２５が、顔検出結果をもとに、ライブビュー画像中に含まれる顔の表情を判別する。
【００６４】
そして、笑顔検出部１２５が取り込んだライブビュー画像中で笑顔の顔を検出した場合には（ステップｂ９：Ｙｅｓ）、続いてシステムコントロール部１１１は、連写撮影処理を行う（ステップｂ１１）。すなわち、システムコントロール部１１１は、撮像部による撮影動作を制御し、露出を制御して画像データの全画素読み出し処理を行う。この結果、笑顔検出モードが設定された撮影モードでは、ファーストレリーズ１５１がＯＮされたままの状態で、且つそのときに取り込んだライブビュー画像中で笑顔の顔を検出している間は、１／３０秒毎にそのときの撮影範囲の画像が連写撮影画像として生成されることとなる。また、画像処理部１２０が、ステップｂ１１で生成された連写撮影画像の画像データをもとに、スロー対応ライブビュー画像の画像データを生成する（ステップｂ１３）。例えば、連写撮影画像を所定の画素数に間引き処理してスロー対応ライブビュー画像を生成する。
【００６５】
なお、このとき、システムコントロール部１１１は、カウンタ値ｎをコマ番号として画像処理部１２０に通知するようになっており、画像処理部１２０は、得られたｎコマ目の連写撮影画像およびスロー対応ライブビュー画像をシステムコントロール部１１１から通知されたコマ番号と対応付けて記録バッファ１３４に記録処理する。例えば、最初にステップｂ９でＹｅｓと判定された場合であればコマ番号は“０”となり、ステップｂ７で先頭の０コマ目の連写撮影画像が生成され、ステップｂ９でこの０コマ目のスロー対応ライブビュー画像が生成される。
【００６６】
続いて、システムコントロール部１１１が、カウンタ値ｎおよびカウンタ値ｔをそれぞれインクリメントして更新するとともに（ステップｂ１５）、表示フレームレート変換部１２３が、更新後のカウンタ値ｔを３で除した商をｘに代入して更新する（ステップｂ１６）。そして、表示フレームレート変換部１２３は、ｘの値がコマ番号として対応付けられたｘコマ目のスロー対応ライブビュー画像を記録バッファ１３４から読み出してＴＦＴ液晶パネル１４４に表示処理する（ステップｂ１７）。
【００６７】
その後、システムコントロール部１１１は、セカンドレリーズ１５２のＯＮ操作を判定し、ＯＮされた場合であれば（ステップｂ１９：Ｙｅｓ）、表示中のスロー対応ライブビュー画像のコマ番号に対応するｘコマ目の連写撮影画像を撮影画像として記録媒体１３６に記録処理する（ステップｂ２１）。
【００６８】
また、セカンドレリーズ１５２がＯＮされなければ（ステップｂ１９：Ｎｏ）、システムコントロール部１１１は、ファーストレリーズ１５１のＯＦＦ操作を判定する。そして、ファーストレリーズ１５１がＯＦＦされた場合には（ステップｂ２３：Ｙｅｓ）、システムコントロール部１１１は、記録バッファ１３４に記録されている生成済みの連写撮影画像およびスロー対応ライブビュー画像が消去する処理（リセット処理）を行い、スローライブビュー表示をリセットする（ステップｂ２５）。このとき、ＡＦロックの状態が解除される。その後、図３のステップａ９にリターンし、ステップａ１１に移行する。
【００６９】
一方、ファーストレリーズ１５１がＯＮされたままであれば（ステップｂ２３：Ｎｏ）、続いてシステムコントロール部１１１は、ズーム操作（ズームボタン１５３の操作）を検出する（ステップｂ２６）。そして、ステップｂ２６でズーム操作を検出した場合には（ステップｂ２７：Ｙｅｓ）、後述するステップｂ４１に移行し、システムコントロール部１１１がスローライブビュー表示をリセットする。その後、ステップｂ５に戻って初期化処理を行い、次フレームの顔認識処理に移る。一方、ズーム操作を検出しない場合であれば（ステップｂ２７：Ｎｏ）、ステップｂ７に戻って次フレームの顔認識処理に移る。
【００７０】
また、ステップｂ７の顔認識処理の結果ライブビュー画像中で笑顔の顔が検出されない場合には（ステップｂ９：Ｎｏ）、システムコントロール部１１１は、カウンタ値ｎを判定する。そして、カウンタ値ｎが“０”の場合、すなわちファーストレリーズ１５１がＯＮされてから１度も笑顔の顔が検出されておらず、連写撮影処理が行われていない場合には（ステップｂ２８：Ｙｅｓ）、システムコントロール部１１１は、図３のステップａ５と同様の要領で、撮像素子１０２に結像されている被写体像をリアルタイムに画面表示する通常ライブビュー表示を行う（ステップｂ２９）。
【００７１】
その後、システムコントロール部１１１は、セカンドレリーズ１５２のＯＮ操作を判定し、ＯＮされた場合であれば（ステップｂ３１：Ｙｅｓ）、撮像部による撮影動作を制御する（ステップｂ３３）。すなわち、システムコントロール部１１１は、露出を制御して画像データの全画素読み出し処理を行う。これにより、このときの撮影範囲の画像データが撮影画像の画像データとして生成され、画像処理部１２０によって必要な画像処理が施された後、記録媒体１３６に記録される。その後、図３のステップａ９にリターンし、ステップａ１１に移行する。
【００７２】
また、セカンドレリーズ１５２がＯＮされなければ（ステップｂ３１：Ｎｏ）、システムコントロール部１１１は、ファーストレリーズ１５１のＯＦＦ操作を判定する。そして、ファーストレリーズ１５１がＯＦＦされた場合には（ステップｂ３５：Ｙｅｓ）、図３のステップａ９にリターンしてステップａ１１に移行する。一方、ファーストレリーズ１５１がＯＦＦされなければ（ステップｂ３５：Ｎｏ）、ステップｂ７に戻って次フレームの顔認識処理に移る。
【００７３】
また、カウンタ値ｎが“０”でない場合には（ステップｂ２８：Ｎｏ）、カウンタ値ｎがカウンタ値ｘと一致しているか否かを判定する。ここで、カウンタ値ｎがカウンタ値ｘと一致していないということは、生成済みの連写撮影画像の最終のコマ番号が、表示中のスロー対応ライブビュー画像のコマ番号と一致していない。このため、生成済みの各コマのスロー対応ライブビュー画像の中に、笑顔の人物が映る未表示のスロー対応ライブビュー画像が含まれる。そこで、未表示のスロー対応ライブビュー画像を全て表示するまでの間は、スローライブビュー表示を継続して行う。すなわち、カウンタ値ｎがカウンタ値ｘと一致していない場合には（ステップｂ３７：Ｎｏ）、ステップｂ１６に移行して次フレームのスロー対応ライブビュー画像の表示に移る。
【００７４】
そして、システムコントロール部１１１は、カウンタ値ｎがカウンタ値ｘと一致している場合には（ステップｂ３７：Ｙｅｓ）、ファーストレリーズ１５１のＯＦＦ操作を判定する。そして、ファーストレリーズ１５１がＯＦＦされた場合には（ステップｂ３９：Ｙｅｓ）、ステップｂ２５に移行し、システムコントロール部１１１がスローライブビュー表示をリセットする。その後、図３のステップａ９にリターンしてステップａ１１に移行する。
【００７５】
一方、ファーストレリーズ１５１がＯＦＦされない場合も（ステップｂ３９：Ｎｏ）、システムコントロール部１１１は、スローライブビュー表示をリセットする（ステップｂ４１）。このとき、記録バッファ１３４に記録されている生成済みの連写撮影画像およびスロー対応ライブビュー画像が消去される。そしてこの場合には、ステップｂ５に戻って初期化処理を行い、次フレームの顔認識処理に移る。
【００７６】
以上説明したように、本実施の形態によれば、ファーストレリーズ１５１がＯＮされたままの場合であって、ライブビュー画像中で笑顔の顔が検出された場合に、連写撮影処理を開始して連写撮影処理を行うとともに、生成した連続撮影画像を用いてスローライブビュー表示を行うことができる。これによれば、ファーストレリーズ１５１がＯＮされている間、笑顔の顔が検出されたフレームのみを対象として例えば所定の撮影間隔（例えば１／３０秒毎）で連写撮影画像の画像データを生成するとともに、この連写撮影画像の画像データを用いてスローライブビュー表示を行い、実際の被写体の動きよりも遅い速度で被写体像を画面表示することができる。そして、セカンドレリーズ１５２がＯＮされた時点で画面表示している連写撮影画像の画像データを記録することができる。したがって、被写体の動きが速い場合であっても、シャッターチャンスを逃すことなく確実に記録することができるという効果を奏する。
【００７７】
なお、上記した実施の形態では、リアルタイムに取り込まれるライブビュー画像が笑顔の顔を含む場合にスローライブビュー表示を行うこととした。これに対し、瞳が検出された場合にスローライブビュー表示を行う構成としてもよい。ここで、目が開いている顔が検出されたフレームを対象にスローライブビュー表示するのは、目が閉じている顔ではなく、目が開いている顔が映るフレームがユーザにとってシャッターチャンスであると想定できるためである。
【００７８】
図５は、本変形例における撮影装置１の基本動作を示すフローチャートである。なお、図５において、上記した実施の形態と同様の処理工程については、同一の符号を付する。
【００７９】
本変形例では、図５に示すように、システムコントロール部１１１は、ステップｃ３において、撮影モードとしてポートレートモードが設定されているか否かを判定する。そして、ポートレートモードが設定されている場合に（ステップｃ３：Ｙｅｓ）、スローライブビュー対応モード処理に移る（ステップｃ９）。
【００８０】
図６は、本変形例におけるスローライブビュー対応モード処理の詳細な処理手順を示すフローチャートである。本変形例のスローライブビュー対応モード処理では、図６に示すように、ステップｂ５においてシステムコントロール部１１１が初期化処理を行った後、続いて、ライブビュー画像を取り込んで瞳認識処理を行う（ステップｄ７）。例えば先ず、システムコントロール部１１１が、撮像素子１０２に結像されている被写体像を間引き読み出し処理する。そして、ここでの処理の結果フレームメモリ１３３に一時的に記録されたライブビュー画像について画像認識部１２４が画像認識処理を行う。すなわち画像認識部１２４は、取り込んだライブビュー画像の画像データについて顔検出処理を行う。そして、瞳検出部１２６が、顔検出結果をもとに、ライブビュー画像中に含まれる顔の瞳を検出する。
【００８１】
そして、瞳検出部１２６が取り込んだライブビュー画像中で瞳を検出した場合には（ステップｄ９：Ｙｅｓ）、上記した実施の形態と同様にしてシステムコントロール部１１１が連写撮影処理を行い（ステップｂ１１）、画像処理部１２０がスロー対応ライブビュー画像の画像データを生成する（ステップｂ１３）。
【００８２】
本変形例によれば、被写体に人物が含まれる場合であって、且つその人物の瞳が検出されている間、スローライブビュー表示を行うことができ、上記した実施の形態と同様の効果を奏することができる。これによれば、ユーザは、撮影モードとしてポートレートモードを設定することによって、実際の被写体の動きよりも遅い速度で、且つ瞳が検出されたフレームのみがスロー表示されるスローライブビュー画像を見ながら撮影を行うことができる。
【００８３】
なお、本発明は、上記した各実施の形態そのままに限定されるものではなく、上記した実施の形態に開示されている複数の構成要素を適宜組み合わせることによって、種々の発明を形成できる。例えば、上記した実施の形態と変形例とを組み合わせ、被写体が人物の顔を含み、この顔が笑顔の場合であって、且つ瞳が検出された場合に、スローライブビュー表示を行なう構成としてもよい。
【００８４】
また、上記した各実施の形態では、本発明の撮影装置としていわゆるデジタルスチルカメラやデジタルビデオカメラを例に挙げたが、適用対象はこれらに限定されるものではない。例えば、カメラ付き携帯電話機やカメラ付きモバイルＰＣ等に適用できる。
【図面の簡単な説明】
【００８５】
【図１】撮影装置の概略内部構成例を示すブロック図である。
【図２】笑顔検出モードにおけるスローライブビュー表示を説明する図である。
【図３】撮影装置の基本動作を示すフローチャートである。
【図４】スローライブビュー対応モード処理の詳細な処理手順を示すフローチャートである。
【図５】変形例における撮影装置の基本動作を示すフローチャートである。
【図６】変形例におけるスローライブビュー対応モード処理の詳細な処理手順を示すフローチャートである。
【符号の説明】
【００８６】
１      撮影装置
１０１      レンズ
１０２      撮像素子
１０３      アクチュエータ
１０４      アクチュエータ駆動回路
１０５      撮像回路
１０６      フラッシュ
１０７      ＥＥＰＲＯＭ
１０８      手ブレ補正用ジャイロセンサ
１１０      ＣＰＵ
１１１      システムコントロール部
１１２      時計部
１２０      ＣＰＵ（画像処理部）
１２１      画像圧縮伸長部
１２２      記録媒体アクセス処理部
１２３      表示フレームレート変換部
１２４      画像認識部
１２５      笑顔検出部
１２６      瞳検出部
１３１      Ａ／Ｄ変換回路
１３２      ＦＩＦＯメモリ
１３３      フレームメモリ
１３４      記録バッファ
１３５      記録媒体Ｉ／Ｆ
１３６      記録媒体
１４１      ＴＦＴ液晶駆動回路
１４２      ビデオ出力回路
１４３      バックライトユニット
１４４      ＴＦＴ液晶パネル
１５０      キーマトリクス
１５１      ファーストレリーズ
１５２      セカンドレリーズ
１５３      ズームボタン
１６１      ＬＣＤ表示回路
１６２      ＬＣＤパネル
１６３      外部有線データＩ／Ｆ
１７１      電池
１７２      バックアップ電源
１７３      電源回路
１７４      電池状態検出回路
２０１      外部画像表示装置
【図１】
2010226495.tif 000003
【図２】
2010226495.tif 000004
【図３】
2010226495.tif 000005
【図４】
2010226495.tif 000006
【図５】
2010226495.tif 000007
【図６】
2010226495.tif 000008